(57)【要約】【課題】 地震検知機能を停止する操作ボタンを設けても、所定時間が経過したら自動復帰して感震遮断動作を再開する感震装置を提供する。【解決手段】 地震検知機能を停止する機能停止ボタンとしてのリセット／テスト／停止ボタン１６と、セット／テスト／停止ボタン１６が操作されて地震検知機能が停止したら、第１の所定時間のカウントを開始する第１タイマ２４ａと、第１タイマ２４ａがタイムアップしたら、感震装置ＣＰＵ２４は地震検知機能の停止状態を解除して能動に移行させる。【選択図】  図１
2019144055.tif 000002
【特許請求の範囲】
【請求項１】
分電盤内に設置されて、設定された震度以上の地震が発生したらそれを検知して地震発生信号を出力する感震装置であって、
地震検知機能を停止する機能停止ボタンと、
前記機能停止ボタンが操作されて地震検知機能が停止したら、第１の所定時間のカウントを開始する第１タイマと、
前記第１タイマがタイムアップしたら、地震検知機能の停止状態を解除して能動に移行させる検知制御部とを有することを特徴とする感震装置。
【請求項２】
警報を発する報音部を有し、
地震検知機能が停止したら前記第１の所定時間より短い第２の所定時間のカウントを開始する第２タイマと、
前記第２タイマがタイムアップしたら前記報音部を一定時間報音動作させる報音制御部とを有し、
前記報音制御部は、前記第２タイマがタイムアップしたら再び前記第２の所定時間のカウントを開始させ、タイムアップしたら前記報音部を再度一定時間報音動作させる制御を、前記第１タイマがタイムアップするまで継続させることを特徴とする請求項１記載の感震装置。
【請求項３】
前記第１の所定時間を設定する第１設定部、及び前記第２の所定時間を設定する第２設定部を有することを特徴とする請求項２記載の感震装置。
【請求項４】
前記地震発生信号を出力させるテストボタンを有し、
前記機能停止ボタンが前記テストボタンと兼用であり、テストボタンを所定時間長押しすることで機能が停止することを特徴とする請求項１乃至３の何れかに記載の感震装置。
【請求項５】
感震動作をリセットするリセットボタンを有し、
前記機能停止ボタンが前記リセットボタンと兼用であり、リセットボタンを所定時間長押しすることで機能が停止することを特徴とする請求項１乃至３の何れかに記載の感震装置。
【請求項６】
設定された震度以上の地震が発生したらそれを検知して地震発生信号を出力する感震装置を備えた分電盤において、
分電盤ハウジングの外面に、前記感震装置の電源をオン／オフする電源スイッチ、及び前記感震装置内の感震機能をオン／オフする設定スイッチの何れか一方を設けたことを特徴とする分電盤。
【請求項７】
前記電源スイッチ或いは前記設定スイッチは、前記分電盤ハウジングの下面に設けられたことを特徴とする請求項６記載の分電盤。
【発明の詳細な説明】
【技術分野】
【０００１】
本発明は、所定の震度以上の地震が発生したら漏電遮断器等を遮断動作させる感震装置、及び感震装置を備えた分電盤に関する。
【背景技術】
【０００２】
従来より、分電盤に組み付けられて所定の震度以上の地震が発生したら、それを検知して漏電遮断器を遮断動作させる感震装置がある。
例えば特許文献１の感震装置は、所定の震度以上の揺れを検知したらまず地震発生信号を出力し、その後一定時間が経過したら漏電遮断器を遮断動作させるための遮断信号を出力した。
【先行技術文献】
【特許文献】
【０００３】
【特許文献１】特開２０１６−２１１９２０号公報
【発明の概要】
【発明が解決しようとする課題】
【０００４】
このような従来の感震装置は、動作をテストするテストボタンは設けられているものの、機能を停止させる必要が無かったため電源スイッチを持たなかった。そのため、分電盤の周辺で工事が行われ、その工事による揺れが設定震度以上であった場合は感震装置が動作して、停電が発生することがあった。
そのため、感震装置に電源スイッチを設けて、工事する際に電源をオフすれば工事による振動で動作する問題は解決するが、感震装置は分電盤内に組み付けられているため、工事作業者にとって電源スイッチの操作は分電盤内の操作となるため面倒であるし、電源スイッチの状態が確認し辛いため、工事終了後にオン操作し忘れると、そのまま放置されて後に地震が発生しても動作しない事態が発生してしまう問題が考えられた。
【０００５】
そこで、本発明はこのような問題点に鑑み、地震検知機能を停止する操作ボタンを設けても、所定時間が経過したら自動復帰して感震遮断動作を再開する感震装置、また感震装置を停止してもその状態を視認し易い分電盤を提供することを目的としている。
【課題を解決するための手段】
【０００６】
上記課題を解決する為に、請求項１の発明は、分電盤内に設置されて、設定された震度以上の地震が発生したらそれを検知して地震発生信号を出力する感震装置であって、地震検知機能を停止する機能停止ボタンと、機能停止ボタンが操作されて地震検知機能が停止したら、第１の所定時間のカウントを開始する第１タイマと、第１タイマがタイムアップしたら、地震検知機能の停止状態を解除して能動に移行させる検知制御部とを有することを特徴とする。
この構成によれば、感震装置の機能を停止する機能停止ボタンを設けて停止操作しても、一定時間後に自動復帰するため、復帰操作し忘れて地震発生時に機能しない事態を防止できる。
【０００７】
請求項２の発明は、請求項１に記載の構成において、警報を発する報音部を有し、地震検知機能が停止したら第１の所定時間より短い第２の所定時間のカウントを開始する第２タイマと、第２タイマがタイムアップしたら報音部を一定時間報音動作させる報音制御部とを有し、報音制御部は、第２タイマがタイムアップしたら再び第２の所定時間のカウントを開始させ、タイムアップしたら報音部を再度一定時間報音動作させる制御を、第１タイマがタイムアップするまで継続させることを特徴とする。
この構成によれば、感震装置の機能停止操作された後、一定時間が経過しても復帰操作されなければ警報音を鳴動してそれを通知するため、機能停止状態であることを認識できる。
【０００８】
請求項３の発明は、請求項２に記載の構成において、第１の所定時間を設定する第１設定部、及び第２の所定時間を設定する第２設定部を有することを特徴とする。
この構成によれば、停止状態を復帰させる時間、及び機能停止状態であることを通知する時間を設定できるため、利用者の都合に合わせて設定でき好ましい。
【０００９】
請求項４の発明は、請求項１乃至３の何れかに記載の構成において、地震発生信号を出力させるテストボタンを有し、機能停止ボタンがテストボタンと兼用であり、テストボタンを所定時間長押しすることで機能が停止することを特徴とする。
この構成によれば、機能停止ボタンは他の操作ボタンと兼用されるため、新たに設ける必要がない。
【００１０】
請求項５の発明は、請求項１乃至３の何れかに記載の構成において、感震動作をリセットするリセットボタンを有し、機能停止ボタンがリセットボタンと兼用であり、リセットボタンを所定時間長押しすることで機能が停止することを特徴とする。
この構成によれば、機能停止ボタンは他の操作ボタンと兼用されるため、新たに設ける必要がない。
【００１１】
請求項６の発明は、設定された震度以上の地震が発生したらそれを検知して地震発生信号を出力する感震装置を備えた分電盤において、分電盤ハウジングの外面に、感震装置の電源をオン／オフする電源スイッチ、及び感震装置内の感震機能をオン／オフする設定スイッチの何れか一方を設けたことを特徴とする。
この構成によれば、感震装置の電源スイッチ或いは感震機構を停止する設定ボタンを設けても、スイッチは分電盤ハウジングの外側に設けたため、分電盤を開けること無くオン／オフの状態を把握でき確認し易い。そして、感震装置に電源スイッチ或いは設定スイッチを設けたことで、分電盤の周囲で振動を伴う工事或いは作業を行う際に、感震装置が誤動作しないようオフさせることができ、工事の振動により突然停電になるような事態を防ぐことができる。
【００１２】
請求項７の発明は、請求項６に記載の構成において、電源スイッチ或いは設定スイッチは、分電盤ハウジングの下面に設けられたことを特徴とする。
この構成によれば、分電盤の下面に電源スイッチ或いは設定スイッチが設けられるため、壁面の上方に設置される分電盤のスイッチは視認し易く、感震装置の状態を把握し易い。
【発明の効果】
【００１３】
本発明に係る感震装置によれば、感震装置の機能を停止する機能停止ボタンを設けても、一定時間後に自動復帰するため、復帰操作し忘れて地震発生時に機能しない事態を防止できる。
また本発明の分電盤によれば、感震装置の電源スイッチを分電盤ハウジングの外側に設けているため、分電盤を開けること無くオン／オフの状態を把握でき確認し易い。そして、感震装置に電源スイッチを設けたことで、分電盤の周囲で振動を伴う工事或いは作業を行う際に、感震装置が誤動作しないようオフさせることができ、工事の振動により突然停電になるような事態を防ぐことができる。
【図面の簡単な説明】
【００１４】
【図１】本発明に係る感震装置の一例を示す機能ブロック図である。
【図２】感震装置の外観を示す斜視図である。
【図３】感震装置を備えた分電盤の外観図であり、（ａ）は正面図、（ｂ）は底面図である。
【図４】感震装置の他の形態を示す機能ブロック図である。
【発明を実施するための形態】
【００１５】
以下、本発明を具体化した実施の形態を、図面を参照して詳細に説明する。図１，２は本発明に係る感震装置の一例を示し、図１は機能ブロック図、図２は斜視図である。
この図に示すように、感震装置１は、振動を検知する加速度センサを備えた加速度検出部１１、発光通知するＬＥＤ１２、報音通知するブザー１３、感震強度を変更する強度切替スイッチ１４、遮断信号を出力する遅延時間を設定する時間切替スイッチ１５、リセット／テスト操作すると共に機能を停止させるリセット／テスト／停止ボタン（以下、「機能ボタン」と称する。）１６、機能停止状態であることを通知する時間を切り替える通知時間切替スイッチ１７、自動復帰させる時間を設定する復帰時間切替スイッチ１８、地震発生信号を出力する出力端子１９、外部からリセット操作する入力端子２０、ブレーカを遮断動作させるための遅延信号を出力する遮断信号出力部２１、電源部２２、電源スイッチ２３、感震装置１を制御する感震装置ＣＰＵ２４を備えている。
【００１６】
出力端子１９にはブザー等の報音機能を備えた警報ユニット３が接続されており、地震発生時に報音動作する。
入力端子２０にはリセット操作する操作スイッチ４が接続されており、操作スイッチ４の操作で地震発生信号出力動作中の感震装置１はリセットされて警報は停止される。
遮断信号出力部２１には分電盤の主幹ブレーカ５が接続され、遮断信号出力部２１から出力される遮断信号を受けて遮断動作する。具体的には、遮断信号出力部２１に擬似漏電電流が流れて主幹ブレーカ５が漏電遮断動作する。
図２に示すように、感震装置１にはバスバー接続部７が設けられており、分電盤に組み付けた状態でバスバー６に接続されて、電源が供給される。
【００１７】
機能ボタン１６は、感震動作時に操作されるとリセットボタンとして機能して動作が停止するし、待受時に操作されると遮断信号を出力するテストボタンとして機能する。更に、長押しされた場合は地震検知機能を停止させる機能停止ボタンとして機能する。
【００１８】
上記の如く構成された感震装置の動作は以下のようである。まず地震検知動作を説明する。
加速度検出部１１は、加速度に応じた信号を出力する。この信号を受けて感震装置ＣＰＵ２４が次のような制御を行う。加速度検出部１１の出力信号から震度を判定し、強度切替スイッチ１４により設定された震度（例えば、震度５強）以上の震度であると判断したら、地震発生信号を出力し、ＬＥＤ１２を点灯或いは点滅させ、更にブザー１３を鳴動させる。
また、出力端子１９から地震発生信号が出力され、この信号により警報ユニット３が警報音を発する。
【００１９】
そして、地震発生信号の出力に合わせて図示しない内部タイマが設定された時間（例えば、３分）をカウントし、その時間が経過したら遮断信号出力部２１から遮断信号が出力され、主幹ブレーカ５が遮断動作する。
尚、この警報動作は、リセットボタン操作（機能ボタン１６の操作）でリセットされ、待受状態に戻る。
【００２０】
次に、機能ボタン１６を停止ボタンとして機能させた場合を説明する。感震装置１が地震発生信号を出力していない待受状態において、機能ボタン１６が２秒間押下等の長押し操作されると、感震装置ＣＰＵ２４は機能停止操作されたと判断して地震検知機能を停止させる。即ち、設定された震度以上の揺れを検知しても遮断信号を出力しない状態となる。
同時に、第１タイマ２４ａ、第２タイマ２４ｂをスタートさせる。また、ＬＥＤ１２を点滅等地震検知動作とは異なる色又は発光形態で発光動作させて、機能停止状態に移行したことを通知する。
【００２１】
第１タイマ２４ａは例えば７２時間（３日）に設定されており、この時間が経過するまで機能停止が継続される。そして第１タイマ２４ａがタイムアップしたら、復帰操作を待たず機能復帰し、感震遮断動作を開始する。
また、第２タイマ２４ｂは例えば１２時間に設定されており、この時間が経過したら、ブザー１３が一定時間鳴動して機能停止状態であることを通知する。そして、再び第２タイマ２４ｂはカウントを開始し、再度１２時間が経過したらブザー１３が鳴動する。
尚、機能停止中は機能ボタン１６を再度押下すると機能回復し、ＬＥＤ１２は消灯する。
【００２２】
このように、機能ボタン１６を操作して感震装置１の機能を停止させても、一定時間後に自動復帰するため、復帰操作し忘れて地震発生時に機能しない事態を防止できる。また、感震装置１の機能停止操作がされた後、一定時間が経過しても復帰操作されなければ警報音を鳴動してそれを通知するため、機能停止状態であることを認識できる。
更に、機能停止状態を復帰させる時間、及び機能停止状態であることを通知する時間を設定できるため、利用者の都合に合わせて設定でき好ましい。
加えて、複数の機能を備えた機能ボタン１６に機能停止ボタンとしての機能を設けることで、機能停止ボタンを新たに設ける必要がない。
【００２３】
図３はこの感震装置１を備えた分電盤３０の外観図を示し、（ａ）は正面図、（ｂ）は底面図である。この図に示すように、感震装置１の電源スイッチ２３は分電盤ハウジング３０ａの底面に設けられ、周囲から電源スイッチ２３の状態を容易に確認できるよう設置されている。
このように、感震装置１に電源スイッチ２３を設けても、電源スイッチ２３は分電盤ハウジング３０ａの外側に設けたため、分電盤３０を開けること無くオン／オフの状態を把握でき確認し易い。特に、分電盤３０の下面に電源スイッチ２３が設けられるため、壁面の上方に設置される分電盤３０の電源スイッチ２３は視認し易く、感震装置１の状態を把握し易い。
そして、感震装置１に電源スイッチ２３を設けたことで、分電盤３０の周囲で振動を伴う工事或いは作業を行う際に、感震装置１をオフさせることができ、工事の振動により突然停電になるような事態を防ぐことができる。
【００２４】
尚、電源スイッチ２３を分電盤３０に設けた場合、電源スイッチ２３をオフ操作すれば感震装置１は全ての機能が停止し、地震発生信号等を出力することはない。そのため、電源スイッチ２３を設けることで機能停止ボタン（機能ボタン１６）は無くても良く、分電盤３０の底面に設けた電源スイッチ２３の状態を見て感震装置１の状態を容易に把握できるため、オフしたままの状態が継続されるのを防ぐには有効な構成となる。
また、電源スイッチ２３を分電盤ハウジング３０ａの外側に設けるのに加えて、そのオン操作或いはオフ操作に連動して発光する例えばＬＥＤを電源スイッチ２３に近い分電盤ハウジング３０ａの外側に設けても良く、更に電源スイッチ２３の状態を把握し易く好ましい。
【００２５】
図４は感震装置１の他の形態を示す機能ブロック図であり、上記図１の感震装置１とは電源スイッチが無い点で相違し、代わりに感震機能を停止する設定スイッチ２５が設けられている。尚、図１と共通する構成要素には同一の符号を付与して説明を省略する。
この設定スイッチ２５のオン操作により、感震装置ＣＰＵ２４は加速度検出部１１の信号を受け付けない状態となる。また、オフ操作で感震機能を再開する。そして、設定スイッチ２５のオン操作では、上述した第１タイマ２４ａ、第２タイマ２４ｂは何れも動作しない。
また設定スイッチ２５は、図３に示すように、上述した電源スイッチ２３と同様に分電盤ハウジング３０ａの底面に配置される。
このように、電源スイッチ２３の代わりに感震機構を停止する設定ボタン２５を設けても良く、設定スイッチ２５を分電盤ハウジング３０ａの外側に設けることで、分電盤３０を開けること無くオン／オフの状態を把握でき確認し易い。そして、分電盤の周囲で振動を伴う工事或いは作業を行う際に、オン操作すれば感震装置１が誤動作することがない。
【００２６】
尚、上記実施形態の感震装置１は、地震発生信号を出力する出力端子１９と外部からリセット操作する入力端子２０とを有しているため、感震装置１が出力端子１９から出力した地震発生信号をリセット信号として入力端子２０に入力させれば、感震機能を停止させることができる。そのため、出力端子１９と入力端子２０を使用して設定スイッチ２５を設けても良い。
また、設定スイッチ２５を設けた場合、設定スイッチ２５をオン操作したら、電源スイッチ２３の場合と同様に、感震装置１は地震が発生しても地震発生信号等を出力しない。そのため、設定スイッチ２５を設けることで機能停止ボタン（機能ボタン１６）は無くても良く、分電盤３０の底面に設けた設定スイッチ２５の状態を見て感震装置１の状態を容易に把握できるため、オンしたままの状態が継続されるのを防ぐには有効な構成となる。
更に、設定スイッチ２５を分電盤ハウジング３０ａの外側に設けるのに加えて、そのオン操作に連動して発光する例えばＬＥＤを設定スイッチ２５に近い分電盤ハウジング３０ａの外側に設けても良く、更に設定スイッチ２５の状態を把握し易く好ましい。
【符号の説明】
【００２７】
１・・感震装置、１２・・ＬＥＤ、１３・・ブザー（報音部）、１６・・リセット／テスト／停止ボタン（テストボタン、リセットボタン、機能停止ボタン）、１７・・通知時間切替スイッチ（第２設定部）、１８・・復帰時間切替スイッチ（第１設定部）、２４・・感震装置ＣＰＵ（検知制御部、報音制御部）、２４ａ・・第１タイマ、２４ｂ・・第２タイマ、２５・・設定スイッチ、３０・・分電盤、３０ａ・・分電盤ハウジング。
【図１】
2019144055.tif 000003
【図２】
2019144055.tif 000004
【図３】
2019144055.tif 000005
【図４】
2019144055.tif 000006